(57)【要約】 【課題】  色材としての顔料と２００以下の酸価を示す高分子物質を含有してなるインクを用いるインクジェットプリント装置において、インクの吐出に伴って発生する吐出面上の濡れが多く、更にその濡れが堆積しやすいため、プリントヘッドの往復移動時に濡れとプリント媒体とが接触し、プリント媒体上に汚れを生じてしまう。【解決手段】  インクジェットプリント装置のプリント領域の少なくとも一端部で、プリントヘッドの往復移動の延長線上に、インク吸収部材を設ける。これにより、このインク吸収部材をプリントヘッドの往復移動で吐出面と接触させ、吐出面上に発生した濡れインクを除去することが可能となる。インク吸収体はプリント領域の端部に設けられているため、プリントヘッドの往復移動範囲内で吐出面とインク吸収体との接触が可能であり、このことから、接触の頻度を高めてもプリント速度を低下させることはない。【選択図】        図１
2005225093.tif 000002
【特許請求の範囲】
【請求項１】
色材としての顔料と２００以下の酸価を示す高分子物質を含有してなるインクを用い、該インクを吐出させる複数の吐出口が配列された吐出面を有するインクジェットプリントヘッドを往復移動させることでプリントを行うインクジェットプリント装置において、
該インクジェットプリント装置におけるプリント可能領域端部の外側のうちで少なくとも一方にインク吸収性を呈するインク吸収部材を設け、かつ該インク吸収部材が前記インクジェットプリントヘッドの往復移動で前記吐出面に接触可能であることを特徴とするインクジェットプリント装置。
【請求項２】
前記インク吸収部材が前記インクジェットプリントヘッドの往復移動行程の延長線上に設けられていることを特徴とする請求項１に記載のインクジェットプリント装置。
【請求項３】
前記インク吸収部材が前記プリント可能領域端部の外側の両方に設けられていることを特徴とする請求項１又は請求項２に記載のインクジェットプリント装置。
【請求項４】
前記インク吸収部材が多孔質体からなることを特徴とする請求項１乃至請求項３のいずれかに記載のインクジェットプリント装置。
【請求項５】
前記インク吸収部材が前記インクジェットプリントヘッドの往復動作に従う前記吐出面との接触に伴って回転可能であることを特徴とする請求項１乃至請求項４のいずれかに記載のインクジェットプリント装置。
【請求項６】
前記インク吸収部材が多孔質体と弾性体の積層体からなることを特徴とする請求項１乃至請求項４のいずれかに記載のインクジェットプリント装置。
【請求項７】
前記インク吸収部材は前記吐出面との接触時にのみ突出することを特徴とする請求項１乃至請求項６のいずれかに記載のインクジェットプリント装置。
【発明の詳細な説明】
【技術分野】
【０００１】
本発明は、インクジェットプリント装置に関し、特に顔料を色材として用いたインクを搭載したインクジェットプリンタに用いられるワイピング機構に関する。
【背景技術】
【０００２】
インクジェットプリンタは、小型化が容易であることや、騒音が少ない、安価であることなどの利点を持っており、コンピュータの出力装置を始め、各種の印刷装置に利用されている。このインクジェットプリンタは、複数のノズルをもつインクジェットプリントヘッドを搭載しており、その中のノズル群を選択的に駆動させることによって、所望の液滴をプリント媒体上に吐出・着弾させることで画像を形成させる。ここで使用するインクジェットプリントヘッドはインクを吐出させるために複数のノズルを有し、更に各ノズルの吐出口を同一面上（以降、この面を『吐出面』と称する）に配列させる形態が一般的である。
【０００３】
しかし液状インクを吐出させるという点から、この吐出の継続により、インクミストやプリント媒体から跳ね返るインク等が吐出面に付着する、所謂『濡れ』の現象を起こすことがある。この濡れが吐出面上の吐出口近傍で起こった場合、吐出口を介してノズル内のインクと濡れとがつながったり、或いは複数の吐出口間でインクのつながりができたりする。また紙粉やごみ等の異物が濡れを介して付着し、それによって吐出口をふさいだりすることがある。以上のような現象が発生すると、吐出しようとするインク滴が濡れによって引っ張られ、その結果、吐出インク滴の吐出方向が曲がる、インク滴の大きさがばらつく、更にはインク滴の吐出が不可能となる、等の悪影響が出て正常な画像形成ができなくなる不具合を起こす。この不具合を防止するために、インクジェットプリントヘッドの吐出面には従来から撥水処理を施している。この撥水処理により、前述したインクミストやプリント媒体から跳ね返るインク等をはじいて付着させないようにし、この作用から濡れを防止している。
【０００４】
しかし、撥水処理はインクをはじく機能が主体であって、濡れの要因となり得るインクの量を減少させるわけではないため、インクの吐出が更に進行していくと、撥水処理で防止しきれなくなるインクが吐出面に付着してくることはあり得る。これに対しては、そのインクをワイパーブレードで払拭するか、又は吸引ポンプによってインクジェットプリントヘッド内のインクと共に流し去る、所謂回復装置をインクジェットプリンタ内に組み込んでいた。
【０００５】
この回復装置には、ワイピング部と吸引部とを備えており、一般的にはそれぞれ次のような概略構成である。まずワイピング部は、吐出面を摺接するために設置されているワイパーブレードを、所定のタイミングで動作させ、その摺接動作によって吐出面上の濡れや異物を払拭する構成である。そして吸引部は、吐出面にインクの流れを起こすための負圧を生み出すポンプと連通しているキャップを密着させ、その後ポンプを動作させることによってキャップ内を負圧にして、吐出口を介してインクジェットプリントヘッド内のインクと共に異物等をポンプ内に引き込む構成である。
【０００６】
一般にこの回復装置は、インクジェットプリント装置内のプリント領域から外れた箇所で、プリント待機時にインクジェットプリントヘッドを退避させて吐出面の保護のためにキャッピングを行っておく位置（以下、この位置を『ホームポジション』と称する）に設置されている。従って、この回復装置でインクジェットプリントヘッドの回復処理を行う場合は、所定のプリント動作を開始する前或いは終了した後に行うか、或いはプリント動作中の途中でインクジェットプリントヘッドをホームポジションまで移動させて行うか、のいずれかである。
【特許文献１】特開２０００−１７７１１３号公報
【発明の開示】
【発明が解決しようとする課題】
【０００７】
一方、プリント画像に対して画像濃度や堅牢性（耐水性、耐光性等）を向上させようとした場合、使用するインクの色材として顔料を適用することが近年多く研究されている。従来からインクジェット用インクの色材としては染料が多く用いられてきたが、インクの主溶媒には水が使用されることが多いため、この染料も水溶性染料が多用されてきた。水溶性染料を用いた場合、水溶性の性質から耐水性が劣ったり、一般的な染料の性質として知られている耐光性に劣る等の課題があった。これらの課題に対して改善を図るために耐水性、耐光性に優れる顔料を用いることが研究されている。
【０００８】
顔料をインクジェット用インクの色材として利用する際には、次のことに留意する必要がある。通常の顔料は水に不溶であるため、界面活性剤や樹脂等の存在によって水中で分散をさせる必要がある。更に必要に応じて適切な樹脂や溶剤等を添加してインクジェット用インクとしている。この中で分散の手法自体は、古くから塗料や印刷の分野で行われているが、インクジェット用インクとして考えた場合、数十μｍ径の吐出口より液滴の吐出をさせることから、顔料の粒径は小さなものが求められる。一般にインクジェット用インクに適用する顔料の粒径としては２００ｎｍ以下、より好ましくは１００ｎｍ以下が適切であるといわれている。これに加え、安定吐出のためには外力や経時で凝集や沈降を起こさない分散安定性が強く求められる。また、プリント媒体上にインクが着弾した後に顔料粒子とプリント媒体との間で強い結着力が発現していることが必要となる。先に述べた水に不溶である性質から、プリント媒体上に着弾した後も粒子の形態で存在することになるが、特にプリント媒体が普通紙である場合には、紙を構成している繊維と顔料との間では強い結着力がない。従ってプリント媒体と顔料との間の結着力を上げるために、バインダー成分としてインク中に水溶性高分子物質を含有させることが行われる。特にプリント媒体にインクが付着した後の定着性や擦過性の特性を上げるためには酸価の低い高分子物質を適用することが好ましい。ここで、酸価とは一般の術語で、試料１ｇ中に含有する遊離脂肪酸を中和するに要する水酸化カリウムのｍｇ数で定義される。
【０００９】
このように定着性や擦過性の特性を高く維持しようとする場合には、比較的酸価の低い高分子物質を利用するが、酸価の低い高分子物質は、酸価の高いものに比べて水に対する溶解性が低いという性質を持っている。そのためインクジェット用インクに適用した際に、吐出面上で濡れが生じていって、これに加えて吐出面上で濡れのインク中における経時的な水等の揮発性溶媒の蒸発が進行していくと、部分的に顔料粒子の凝集が起こったり、溶解している高分子物質が析出したりする。そして更に濡れが発生することにより、この蒸発に伴う凝集・析出が繰り返され、次第に濡れが蓄積されていくことになる。この蓄積が進行していくと、濡れインク部分の粘度上昇や析出に伴う濡れの堆積や固化が発生し、回復装置内のワイピング動作を行った際に濡れを完全に払拭できず、拭き残しを発生させてしまう。
【００１０】
また濡れの進行で、吐出面上において発生した堆積物が多くなってくると、インクジェットプリントヘッドの往復移動を伴うプリント動作中に、その堆積物とプリント媒体とが接触することも起こり得る。これによりプリント媒体上において画像と無関係な部分に余計なインクの付着が発生する『汚れ』を起こしてしまう。
【００１１】
プリント時における吐出面とプリント媒体表面との間の距離は、通常は０．５〜３ｍｍであるが、プリント媒体として吸水性をもつ紙を使用した場合には、インクジェットヘッドから吐出されたインクの着弾及び浸透に伴い、その紙がインク中の水分を含んで表面の平坦性が損なわれる現象、所謂『コックリング』が起こることがある。これはインク中の水分が、紙を構成している繊維を膨潤させるために起こるものであるが、紙面全体の中でインクの打ち込み量が異なっていると、平坦な紙の表面が波打ったような状態となり、吐出面とプリント媒体表面との間の距離が上記値よりも狭くなってしまう部分ができる。特にインクジェットプリント装置の使用環境が高湿度環境となると、プリント媒体内に浸透した水分は蒸発しにくくなるため、紙繊維の膨潤は更に進み、コックリングに伴う吐出面とプリント媒体表面との間の距離が狭くなる現象は、より顕著となる。
【００１２】
図９は、上記の吐出面上での濡れ状態を模式的に示したものである。図９（ａ）は、吐出に伴って発生したインクミストやプリント媒体から跳ね返ったインクが吐出面に付着して濡れた状態を、吐出面側から見たときのものである。濡れは通常では吐出面内で均一に起こることはまれで、この図のように吐出面内の箇所により付着しているインクの量が異なる。また図９（ａ）のようにインク付着が起こっている状態を、吐出面に沿った方向から見ると、図９（ｂ）に示すような状態であり、付着したインクの厚さもそれぞれ異なる。これは先に述べた濡れの堆積に起因するものである。通常は所定のタイミングでワイピング動作が入り、この濡れを除去するが、使用するインクによって濡れの堆積の進行が速い場合には、そのワイピング動作に入る前に濡れインクがプリント媒体表面に接触し、汚れを発生させることも起こり得る。またこのように濡れの進行が速ければ、その汚れが発生する以前に、吐出口からの正常なインク吐出も困難となっている。
【００１３】
この濡れの堆積物とプリント媒体表面との接触を防止するためには、その接触が起こる前にワイピング動作を行う必要があるが、前述したように、ワイピングはホームポジションにまでインクジェットプリントヘッドを移動させなければならないため、プリント途中の際には、一時的にインク吐出を停止してプリントを中断しなければならない。更に、インクジェットプリントヘッドのホームポジションまでの移動に要する時間、ワイパーブレードの動作に要する時間、及びインクジェットプリントヘッドを元のプリント中断位置にまで戻す時間等を余分に費やしてしまい、プリント終了までの実効時間を延ばしてしまうことになる。このため全体のプリント速度を低下させることにつながり、好ましい解決策とはいいにくい。
【００１４】
逆にインク中の成分として酸価の高い高分子物質を適用した場合には、濡れインクとして吐出面に付着したとしても、酸価の低いものに比べて相対的に水に対する溶解性が高いことから、濡れ部分の粘度上昇や高分子物質の析出は発生しにくく、たとえこれらの現象が発生したとしても、次の濡れインクの付着で再溶解されやすい。このため濡れの蓄積や堆積は起こりにくく、染料を用いたインクに近い挙動で、液状として維持される。しかし、酸価の高い高分子物質は水溶性が比較的高いという点から、インクがプリント媒体に着弾した後は、プリント媒体の厚さ方向へのインクの浸透が進みやすく、結果として画像濃度を高く維持しにくいうえ、プリント媒体の厚さ方向でインクが広がることから、顔料粒子と紙との結着力を強く維持できなくなるため、擦過性も劣る。
【００１５】
以上のことから、画像性能を高めようとした場合には、吐出面における濡れが凝集や析出による粘度上昇・固化を引き起こす可能性があり、更に吐出面上で堆積していくことに対する課題解決が必須となる。このためにワイピングの頻度を上げる必要性をすでに述べた。しかしプリント速度低下の弊害を考慮すると、ワイパーブレードを、ホームポジションのみならず、プリント可能領域外の両側に設置し、プリント途中のワイピング時に、そのときにおけるインクジェットプリントヘッドのプリント領域内における位置に応じて、いずれか近い側のワイパーブレードで吐出面を摺接する方法が考えられる。
【００１６】
これに対し、プリント領域外の両側にワイピングブレードを有する機構については、特開平６−１９８８９７号公報や特開平１１−１２３８３５号公報などで開示がされている。特開平６−１９８８９７号公報においては、通紙領域外の両端に吐出口面に当接する清掃手段を配列したもので、更にその両側でブレード条件や清掃回数を調節して濡れ払拭の効率を向上させたものであり、特開平１１−１２３８３５号公報においては、記録領域外の両側で記録に無関係なインク吐出の手段や吐出面を清掃する手段を有するものである。いずれもプリント領域外の両側にワイピング手段を有するが、前者の場合にはインクジェットプリントヘッドを移動させる際の速度変動によるワイピングのされ方のばらつきを考慮したものであり、後者の場合にはプリント途中のワイピングの有無により、次にプリントをする際のインクジェットプリントヘッドの移動方向が逆方向になることを考慮したものである。従って、前述の課題に対する観点とは異なるため、濡れの増大に伴ってワイピングの頻度を上げなければならないことに対して有効な手段を講じているものではない。
【００１７】
一方、ワイピングの頻度を上げた場合の課題として、吐出面とワイパーブレードとの間で当接に従った摩擦抵抗で吐出面を磨耗させるということも考えられる。前述したように吐出面には撥水剤が設けられているため、この撥水剤の撥水能力を低下させてしまう。従って従来のワイピングの手法で単に頻度を上げることは好ましくない。またワイパーブレードの吐出面との接触部の磨耗も考えられる。
【００１８】
この撥水能力の低下に対して、特開平８−１８７８７６号公報並びに特開平１１−７８０５８号公報で、吐出面に撥水剤を付与する手法を開示している。特開平８−１８７８７６号公報においては、撥水剤を保持する保持部材と、この保持部材でワイピングするワイピング手段をもつもので、まずヘッドの吐出面に対してまずゴムブレードからなるワイピングパッドで吐出面の濡れインクをふき取り、次いでこの部分に撥水剤保持部材を接触させて撥水剤を補給する構成である。また特開平１１−７８０５８号公報においては、吐出面に付着したインクを除去した後に、この吐出面に撥水性皮膜を形成する手段をもつもので、ワイパーで吐出面をワイピングした後に、この吐出面に撥水剤溶液を含有した吸収性部材を押し付けて撥水層を形成させる構成である。
【００１９】
これらのいずれの手法においても、使用可能な撥水剤種類の制約や吐出面上における撥水層の再形成時における層厚均一性の課題を生ずる。更には撥水層を再形成させるために専用の機構をインクジェットプリント装置内に付加することによる装置の大型化を招く課題も生ずる。従って、これらの構成による撥水性の再付与で、ワイピング時の当接力を高く設定するということは好ましいとはいいにくい。
【００２０】
本発明は上記課題に鑑みてなされたものであって、本発明者らはインクの吐出に伴って発生する吐出面上の濡れの発生状態、及び吐出面を劣化させることのない濡れの除去方法について、鋭意研究重ねた結果、吐出面上に発生した濡れに対し、新規なワイピングの手法を実施することで、この濡れを効率よく除去できることを見出し、本発明を達成するに至った。
【００２１】
そして本発明は、色材としての顔料と酸価が２００以下の高分子物質を含有するインクを吐出させるにあたり、吐出面における濡れが進行していっても、プリント領域の両端部で濡れインクを吸収して除去することにより、安定した画像形成を可能にすると共に、濡れインクが吐出面上で堆積していっても、プリント媒体と接触するようなことは起こさないため、この濡れインクによってプリント媒体を汚すことも起こらないインクジェットプリント装置を提供することを目的としている。
【課題を解決するための手段】
【００２２】
上記課題を解決するために、本発明は以下の構成を備える。即ち本発明は、
色材としての顔料と、２００以下の酸価を示す高分子物質を用いて、顔料を分散させたインクをインクジェットプリントヘッドで吐出させ、そのインクの吐出に伴って発生する吐出面上の濡れについて、その原因となるインクの付着状態を観察した結果、以下のような挙動を示した。
【００２３】
なお、ここで用いている高分子物質としては、親水基及び疎水基のバランスが重要である。代表的なものとしては、ポリアクリル酸・ポリスチレンの共重合体が挙げられる。また、酸価の定義から、その中でもカルボキシル基が多いほど酸価は高くなるので、ポリアクリル酸の比率を変えることによって酸価は各種の値をとり得る。
【００２４】
まず、このインク付着は微小液滴状態で吐出口近傍を含めた吐出面全域で発生し、更に吐出の継続でインク付着は増大していく。これと共に、吐出面上で付着インク中の揮発分の蒸発も起こっていくため、付着インクは次第に粘度を増していき、更には高分子物質成分の析出も起こってくる。このような状態となっていく間に、更に別のインク滴が付着していき、その中でも近接した位置に付着したものは、この粘度上昇・析出した部分との間で合体していく。しかし、この合体に際して、高分子物質の酸価が低いため、すでに析出した高分子物質をあとから付着したインク滴によって再溶解させることは容易には起こらず、粘度上昇成分および析出物の堆積となっていく。
【００２５】
このように粘度上昇成分および析出物の堆積が進行していくと、前述したインクジェットプリント装置内に組み込まれている回復装置内のワイピング部の動作のみによる、通常実施し得るタイミングのワイピングでは、吐出面上の濡れを除去することは困難となる。従って、このような堆積物ができる前に濡れを除去することが必要である。このことは、言い換えればワイピングの頻度が高くなることである。従って、別の視点にたって堆積物ができる前の状態のうちに濡れを除去することを行う必要がある。
【００２６】
即ち、堆積物ができる前の濡れ状態は吐出面上において濡れインク中の揮発成分の蒸発程度も少ないため、粘度上昇は少ない。従ってこの状態のときは濡れの流動性が高いことから、吸水性部材によって吸収されやすい性質が残っている。これを利用し、インクジェットプリント装置におけるプリント可能領域端部の外側のうちで少なくとも一方に多孔質体等からなるインク吸収部材を設置し、このインク吸収部材と吐出面とを接触させることで、補助的な濡れの除去を行う。
【００２７】
また、補助的な濡れの除去を行うインク吸収部材は、インクジェットプリント装置におけるプリント可能領域端部の外側のうちで少なくとも一方に設置してあれば機能は果たすが、濡れ除去の効率をより高める観点から、プリント可能領域端部の外側の両方に設置することも有効である。つまりこのことは、インク吐出を行うインクジェットプリントヘッドは、このプリント可能領域内で往復移動を行うので、プリント可能領域端部の外側の両方で吐出面との接触は可能であるという観点からである。
【００２８】
これらのインク吸収部材を設置する位置においては、インクジェットプリントヘッドを搭載しているキャリッジの往復動作をさせるモータの加速領域又は減速領域にあたるため、新たにキャリッジの移動範囲を広げる制御を加える必要はない。また、従来からのワイピング部の構成であるゴム等の弾性体を用いたワイパーブレードを屈曲させて摺接させる方式では、摺接後に、ワイパーブレードの形状復帰力で除去したインクを飛散させる、という問題が発生することが考えられたが、本発明のインク吸収部材を吐出面に接触させる方式では、この除去インクの飛散の問題はない。なお、インク吸収部材と吐出面との接触の際に、キャリッジ動作に対して抵抗を生じてはならないため、インク吸収部材は固設させるのではなく、吐出面との接触時にある程度揺動可能に設置することが好ましい。
【発明の効果】
【００２９】
以上説明したように、色材としての顔料と酸価が２００以下の高分子物質を含有するインクを吐出させるにあたり、吐出面における濡れが進行していっても、プリント領域の両端部で濡れインクを吸収して除去することにより、安定した画像形成を可能にすると共に、濡れインクが吐出面上で堆積していっても、プリント媒体と接触するようなことは起こさないため、この濡れインクによってプリント媒体を汚すことも起こらない。
【００３０】
本発明で使用しているインクは、染料を色材としたインクでは発生し得なかった吐出面上での濡れを引き起こし、この濡れは従来の技術の延長では解消できなかったが、吐出面上の撥水剤層変更やワイピングの頻度を高めることを行わなくとも、その濡れを効率よく除去することが可能となった。このことはインクの自由度を高めると共に、画像の信頼性を上げることにもつながるものである。
【発明を実施するための最良の形態】
【００３１】
以下に本発明を実施するための最良の形態を、実施例にもとづいて説明する。
【実施例】
【００３２】
［実施例１］
以下、図面を参照して本発明を詳細に説明していく。なお以下において、補助的な濡れの除去を行うインク吸収部材は、インクジェットプリント装置におけるプリント可能領域の外側の両方に設置する形態で説明するが、いずれか一方のみでも本発明は達成できることはいうまでもない。
【００３３】
（インクジェットプリント装置の概略構成）
図１は、本発明を適用したインクジェットプリント装置にかかる第１の実施形態の概略構成を示す模式的平面図である。
【００３４】
この図１において、インクジェットプリントヘッドを組み込んでいるプリントヘッドカートリッジＨ１０００は、キャリッジ２０２に位置決めされて交換可能に搭載される形態となっており、外部信号入力端子を介して各インク吐出部に駆動信号等を伝達するための電気接続部（コネクタ）が設けられている。キャリッジ２０２には、その電気接続部に駆動信号等を伝達するためのコネクタホルダが設けられている。なお、プリントヘッドカートリッジＨ１０００の構成の詳細は後述する。
【００３５】
キャリッジ２０２は、装置本体に設置されたガイドシャフト２０３によって、矢印Ｘの主走査方向に往復移動可能にガイドされており、主走査モータ２０４により、モータプーリ２０５、従動プーリ２０６、およびタイミングベルト２０７等の駆動機構を介して駆動されると共に、その位置および移動が制御される。また、キャリッジ２０２にはホームポジションセンサ２１０が設けられ、装置本体の定位置には遮蔽板２１６が配置されている。そして、キャリッジ２０２上のホームポジションセンサ２１０が遮蔽板２１６の位置を通過して、それを検知することによって、キャリッジ２０２がホームポジションにあることを知ることができる。また、このホームポジションの位置を基準としてキャリッジ２０２の位置を知ることもできる。
【００３６】
印刷用紙やプラスチック薄板等のプリント媒体２０８は、ギアを介して給紙モータ２１５によりピックアップローラ２１１を回転させることによって、オートシートフィーダ（ＡＳＦ）２１２から一枚ずつ図１中の下方に分離給送される。更に、プリント媒体２０８は、搬送ローラ２０９の回転により、プリントヘッドカートリッジＨ１０００の中におけるインクジェットプリントヘッドの吐出口配列面（吐出面）と対向する位置を通って、矢印Ｙの副走査方向に搬送される。搬送ローラ２０９は、ギアを介してＬＦモータ２１４により回転される。プリント媒体２０８が給送されたかどうかの判定と、その給送時におけるプリント媒体２０８の頭出し位置の確定（プリント媒体２０８の先端位置の確定）は、プリント媒体２０８がぺーパーエンドセンサ２１３の位置を通過した時点で行われる。更に、プリント媒体２０８の後端の位置と、その後端の位置に基づいてプリント媒体２０８上における現在のプリント位置を割り出すためにもペーパーエンドセンサ２１３は使用される。
【００３７】
なお、プリント媒体２０８は、プリント部において平坦なプリント面を形成するように、その裏面がプラテン（不図示）により支持される。プリントヘッドカートリッジＨ１０００は、その中のインクジェットプリントヘッドにおける吐出面がキャリッジ２０２から下方へ突出して、その吐出面がプリント媒体２０８のプリント部と平行になるようにキャリッジ２０２に保持される。
【００３８】
プリントヘッドカートリッジＨ１０００は、その中のインクジェトプリントヘッドの各吐出部におけるインク吐出口の並び方向が矢印Ｘの主走査方向と交差する方向となるように、キャリッジ２０２に搭載される。プリントヘッドカートリッジＨ１０００は、その中のインクジェットプリントヘッドにおける吐出面から、インクを液滴としてプリント媒体２０８上に吐出させることによってプリントを行う。
【００３９】
２０１は回復系機構であり、プリントヘッドカートリッジＨ１０００内のインクジェットプリントヘッドの吐出口からインクを吸引排出させる吸引ポンプ（不図示）、インクジェットプリントヘッドの吐出面における濡れを払拭するワイパーブレード１１、及びプリント待機時にインクジェットプリントヘッドの吐出面を保護するためのキャップ部材（不図示）を有する。このキャップ部材は、不図示のモータによって吐出面に対して圧接又は離間位置に移動可能とされている。このキャップ部材は一般的にはゴム製であり、吐出面に対して圧接状態のときに、吐出面との間の十分な密閉が達成できるように構成されている。そして、このキャップ部材を圧接状態にして、不図示の吸引ポンプによってキャップ部材内を負圧にし、インクジェットプリントヘッドの吐出口からインクをキャップ部材内に吸引排出することによって、吸引回復動作を行う。また、この圧接状態において吸引ポンプを動作させなければ、プリント装置の非使用時にキャップ部材が吐出口を保護することになる。なお、この回復系機構２０１内に設置されているワイパーブレード１１は、プリントヘッドカートリッジＨ１０００の吐出面に発生した濡れを所定のタイミングで除去することと共に、前述の吸引回復動作で吐出口からインクをキャップ内に吸引排出した際にインクで濡れている吐出面を清浄にすることの２つの目的で設けられている。
【００４０】
更に本発明によるインク吸収部材から構成される補助ワイパー１２及び１３は、本インクジェットプリント装置でプリントが可能な領域（使用できるプリント媒体の最大幅に相当する領域）に対して、その外側の両方に、それぞれ設けている。そしてこの設置位置は、なるべくプリント可能領域の両端部に近接した位置が好ましい。この補助ワイパー１２及び１３の具体的な構成と動作については後述する。
【００４１】
（プリントヘッドカートリッジ）
次に、キャリッジ２０２に位置決めされて交換可能に搭載されるプリントヘッドカートリッジＨ１０００の構成について説明する。
【００４２】
この実施形態におけるプリントヘッドカートリッジＨ１０００は、図６に示すようにインクを貯留するインクタンクＨ１９００と、このインクタンクＨ１９００から供給されるインクをプリント情報に応じてノズルから吐出させるインクジェットプリントヘッドＨ１００１とを有する。
【００４３】
ここに示すプリントヘッドカートリッジＨ１０００では、写真調の高画質な画像形成を可能とするため、インクタンクとして、例えば、ブラック、ライトシアン、ライトマゼンタ、シアン、マゼンタ及びイエローの各色独立のインクタンクＨ１９００が用意されており、図７に示すように、それぞれがインクジェットプリントヘッドＨ１００１に対して着脱自在となっている。
【００４４】
そして、インクジェットプリントヘッドＨ１００１は、図８の分解斜視図に示すように、吐出素子基板Ｈ１１００、第１のプレートＨ１２００、電気配線基板Ｈ１３００、第２のプレートＨ１４００、タンクホルダーＨ１５００、流路形成部材Ｈ１６００、フィルターＨ１７００、シールゴムＨ１８００から構成されている。
【００４５】
吐出素子基板Ｈ１１００には、シリコン基板の片面にインクを吐出するための複数の吐出素子と、各吐出素子に電力を供給するアルミニウム等の電気配線とが成膜技術により形成され、この吐出素子に対応した複数のインク流路と複数の吐出口Ｈ１１００Ｔとがフォトリソグラフィ技術により形成されると共に、複数のインク流路にインクを供給するためのインク供給口が裏面に開口するように形成されている。この複数の吐出口Ｈ１１００Ｔが形成されている面が吐出面Ｈ１１０１となる。
【００４６】
また、吐出素子基板Ｈ１１００は第１のプレートＨ１２００に接着固定されており、ここには、前記吐出素子基板Ｈ１１００にインクを供給するためのインク供給口Ｈ１２０１が形成されている。さらに、第１のプレートＨ１２００には、開口部を有する第２のプレートＨ１４００が接着固定されており、この第２のプレートＨ１４００は、電気配線基板Ｈ１３００と吐出素子基板Ｈ１１００とが電気的に接続されるよう電気配線基板Ｈ１３００を保持している。この電気配線基板Ｈ１３００は、吐出素子基板Ｈ１１００にインクを吐出するための電気信号を印加するものであり、吐出素子基板Ｈ１１００に対応する電気配線と、この電気配線端部に位置し本体からの電気信号を受け取るための外部信号入力端子Ｈ１３０１とを有しており、外部信号入力端子Ｈ１３０１は、後述のタンクホルダーＨ１５００の背面側に位置決め固定されている。
【００４７】
一方、インクタンクＨ１９００を着脱可能に保持するタンクホルダーＨ１５００には、流路形成部材Ｈ１６００が例えば超音波溶着により固定され、インクタンクＨ１９００から第１のプレートＨ１２００に亘るインク流路Ｈ１５０１を形成している。また、インクタンクＨ１９００と係合するインク流路Ｈ１５０１のインクタンク側端部には、フィルターＨ１７００が設けられており、外部からの塵埃の侵入を防止し得るようになっている。また、インクタンクＨ１９００との係合部にはシールゴムＨ１８００が装着され、前記係合部からのインクの蒸発を防止し得るようになっている。
【００４８】
さらに、前述のようにタンクホルダーＨ１５００、流路形成部材Ｈ１６００、フィルターＨ１７００及びシールゴムＨ１８００から構成されるタンクホルダー部と、前記吐出素子基板Ｈ１１００、第１のプレートＨ１２００、電気配線基板Ｈ１３００及び第２のプレートＨ１４００から構成される吐出素子部とを、接着等で結合することにより、プリントヘッドＨ１００１を構成している。
【００４９】
（インク）
ここで、本発明に適用できる、顔料を色材として用いたインクについて説明しておく。なお、本例では一例としてブラックインクについて述べるが、他の色のインクも、使用する顔料の種類を各色に相当するものに変更すれば同様に考えることができる。
【００５０】
まず、インクを調製するにあたり、顔料粒子を水中に分散させる必要がある。これは次のように行う。
【００５１】
水不溶性高分子物質として、スチレン／メタクリル酸／２−ヒドロキシエチルメタクリレート／テトラエチレングリコールメタクリレート（重量による配合比：７５／１５／５／５、重量平均分子量：２００００、酸価：１００）をメチルエチルケトンに溶かし、有効成分が５０％の高分子溶液溶液を作製した。この高分子溶液を２０ｇ、カーボンブラック（比表面積：２２０ｍ２／ｇ、吸油量：１２０ｍｌ／１００ｇ）を３０ｇ、１Ｎの水酸化カリウム水溶液を１７．９ｇ、メチルエチルケトンを２０ｇ、イオン交換水を３０ｇのそれぞれを十分に攪拌した後に、３本ロールミルで２０回混錬した。得られたペーストをイオン交換水２００ｇに投入し、十分に攪拌した後に、エバポレーターを用いてメチルエチルケトン及び水を留去した。その後に遠心分離機で租粒を除去し、不揮発濃度が１０重量％の顔料分散体Ａを作成した。この分散体を蒸発乾固し、ＴＧ−ＤＴＡで顔料（Ｐ）と高分子物質（Ｂ）の比率を測定したところ、Ｐ／Ｂ＝７５／２５であった。
【００５２】
以上のようにしてできた分散体を『顔料分散体Ａ』とし、次の内容で他の成分と混合してインクの調製を行う。
顔料分散体Ａ  ・・・・・・・・・・・・・・・・・・  ４０重量％
グリセリン  ・・・・・・・・・・・・・・・・・・・  １０重量％
ポリエチレングリコール（分子量：１０００）  ・・・  ３重量％
アセチレノールＥＨ（商品名）  ・・・・・・・・・・  ０．１５重量％
これらの成分を最終的に混合し、よく攪拌した後に、ポアサイズ１．０μｍのメンブレンフィルターで濾過し、インクを得た。
【００５３】
（補助ワイパーの動作）
以上のような構成からなるインクジェットプリント装置によって、プリントヘッドカートリッジＨ１０００からインクを吐出させることで、プリント媒体２０８上で画像形成を行う。この画像形成のためにインクの吐出を継続していくと、吐出面に濡れが発生し得るが、この濡れを解消するために設けられている補助ワイパー１２及び１３の動作について次に説明する。
【００５４】
前述したように、補助ワイパーは図１の中でプリント媒体２０８の幅の外側に設置されている。これらの中で、補助ワイパー１２の拡大図を図２に示す。なお、もう１つの補助ワイパー１３も同一構成であるので、ここでは説明を省略する。図２（ａ）は、補助ワイパー１２を図１に記したＡ方向から見た図で、図２（ｂ）は補助ワイパー１２を図１に記したＢ方向から見た図である。ここでインク吸収体１２１は、発泡ポリウレタンの多孔質体を圧縮して円柱状にした形状からなり、その底面部の中心で高さ方向（図１のＢ方向に相当する）に軸１２２を貫通させている。この軸１２２は、矢印Ｄ方向に回転可能なように、緊定ワッシャ１２３で、インク吸収体保持部１２４に軸着されている。このインク吸収体保持部１２４には、後述する移動軸１２５を介してインク吸収体１２１を矢印Ｃ方向で示す上下動ができるように、更に貫通穴をなす移動溝１２４１を有している。そしてこの移動溝１２４１の中に、移動軸１２５が図のような位置に設けられており、この移動軸１２５は、軸固定部１２６に固定される。この軸固定部１２６は、後に述べるようにインクジェットプリント装置のプラテン部分と一体に成形されている。また先の移動軸１２５と移動溝１２４１との組み合わせによってインク吸収体１２１のＣ方向での上下動を可能としているが、更にインク吸収体保持部１２４には圧力板１２７が図のように接着固定され、その延長部がコイルばね１２８の一端と接着され、このコイルばね１２８の他端は補助ワイパー固定部１２９に接着されている。この構成で前述のインク吸収体１２１を上に押し上げる力をつくり出しており、インク吸収体１２１と吐出面との接触を確実なものにすることができる。
【００５５】
インクジェットプリント装置内への補助ワイパー１２の設置は、図３に示すような構成で行う。先に、軸固定部１２６はプラテン部分と一体で成形されていることを述べたが、この図３における軸固定部１２６とプラテン２２０とが一体で成形されている。このプラテン２２０は、補助ワイパー１２が設置される部分で段差２２１を形成しており、この上に補助ワイパー１２が設置されている。従って、キャリッジ２０２の移動に伴って吐出面Ｈ１１０１がＸ方向に移動して補助ワイパー１２に近づくと、インク吸収体１２１と吐出面Ｈ１１０１との接触が可能となり、さらにこの吐出面Ｈ１１０１の移動によって、インク吸収体１２１は下方に押される構成である。
【００５６】
次に、この補助ワイパー１２を取り付けたインクジェットプリント装置における、吐出面の濡れインク払拭動作について説明する。プリント信号がインクジェットプリント装置に送られると、その信号に従ってキャリッジ２０２を往復移動をさせると共に、この動作に同期してプリントヘッドカートリッジＨ１０００内にあるインクジェットプリントヘッドＨ１００１内の吐出口からインクの吐出が行われ、そのインクがプリント媒体２０８上に着弾して画像が形成されていく。一方、このプリント動作が進行していくと、吐出面においてインクによる濡れが次第に多くなって、場所によっては濡れインクの堆積が起こる。その結果プリント媒体と濡れインクとが接触し、プリント媒体上に汚れが発生することがある。この状態について確認した結果を図４に示す。
【００５７】
図４に記載の表では、プリント前の吐出面が清浄な状態である状態から、プリントを開始して次第に吐出面に濡れインクが付着していき、それが進行して吐出面上で堆積に至った結果、プリント媒体と濡れとが接触して汚れを発生させるまでの状況を確認した結果について、インクを吐出した総ドット数に対して示している。なお吐出面の濡れ状態は、吐出させるノズルの組み合わせによって異なるので、濡れインクによるプリント媒体上の汚れ発生を明確にするために、異なる画像のプリントパターンとして、３種類用いた。更にインクジェットプリント装置を３０℃８０％ＲＨ環境下におき、プリント媒体として普通紙（キヤノン製『ＰＢペーパー』）を用いて、この確認試験を行った。
【００５８】
なお、ここで使用しているインクの性質として、染料を用いたインクに比べて濡れの堆積が著しく速いため、濡れによる吐出状態の悪化から生ずる画像劣化と、濡れによるプリント媒体上の汚れ発生は、総ドット数でほぼ同時期であった。従ってここではプリント媒体上の汚れ発生の現象をとりあげて説明している。
【００５９】
図４の表から、プリントパターンにより差異はあるが、３００万発のインク吐出に至ったころから、プリント媒体と濡れインクとの接触が起きる可能性をもっている。従来、この種のインクジェットプリント装置、即ち染料を色材として用いたインクを採用しているインクジェットプリント装置においては、プリント速度を維持するために、回復機構内のワイパーブレードによるワイピングは、８００万発程度のドット数に達した時点で行っていた。従って、この３００万発のタイミングで、従来のワイピング手法を適用した場合には、プリント速度の低下を引き起こしてしまう。
【００６０】
従って、本実施形態では、図１におけるインクジェットプリント装置の動作の中で、プリントの開始と共に吐出総ドット数を積算していき、その値が３００万発の倍数に到達するたびにキャリッジ２０２をプリント領域端部に移動させ、吐出面を補助ワイパー１２又は１３に接触させるように制御をする。
【００６１】
実際のプリント動作時にはキャリッジ２０２を往復移動させながらインク吐出を行っている。従って補助ワイパーに吐出面を接触させるタイミングに達した際には、その行におけるプリントを完了させた後に、その時点におけるキャリッジ２０２の移動方向の先にあるいずれかの補助ワイパーのところまでキャリッジ２０２を移動させる、なお、この補助ワイパーが設置してある場所においては、キャリッジ２０２の往復移動をさせるモータの動きとしては減速領域である。このため、キャリッジ２０２の速度はプリント時における速度よりも遅い。従って吐出面に対しては非常に弱い力で作用されることになるので、この補助ワイパーの接触で吐出面上の撥水剤を磨耗させることはない。
【００６２】
この補助ワイパー１２又は１３と吐出面の接触との接触は以下のようになされる。キャリッジ２０２がいずれかの補助ワイパーに向かっていくと、プリント領域端部に到達したところで、まずインクジェットプリントヘッドＨ１００１の吐出面近傍と、インク吸収体１２１の外周面のいずれかの箇所とが接触する。このインク吸収体１２１の頂上部は、通常時はコイルばね１２８の作用で吐出面の位置よりも重力的に上方にあるので、上記接触が始まり、更にキャリッジ２０２の移動によって吐出面も移動していくと、インク吸収体１２１は軸１２２を中心にして回転すると共に、吐出面に押されてやや下方に移動する。このインク吸収体１２１の動きで、吐出面との接触を確実なものにする。これに加え、インクジェットプリント装置全体の各部における寸法ばらつきに対する両者の接触不良を防止する点でも有効である。
【００６３】
［実施例２］
図５は図１における補助ワイパー１２及び１３を別な形態で構成したものであり、図１におけるＢ方向から見た形状を示している。図５において、吐出面と接触するインク吸収部１４１に、吸水性の高い多孔質焼結ウレタン（東洋ポリマー製、商品名『ルビセルクリーン』）を用い、その下に図５に示しているような円弧状に成形したゴム板からなる伸縮材１４２を積層するように設けている。なおこの伸縮材１４２は、硬度が４０度で、厚さが０．５ｍｍのＥＰＤＭからできている。そしてこれらのふちの部分を固定材１４４上に接着させて構成したものである。なお固定材１４４はプラテンを形成している部分の延長部を利用している。また伸縮材１４２には任意に穴１４３を数か所設けてある。そして、インク吸収部１４１の頂点は、キャリッジ移動で吐出面がこの付近まで移動した際に上下方向に干渉する部分をもつように位置を合わせておく。即ち、図５において示している吐出面Ｈ１１０１が、インク吸収部１４１の端部１４１１並びに１４１２の面に近接するように、上下方向の位置関係を合わせておく。このような位置関係にしておくことによって、キャリッジ移動に伴って吐出面Ｈ１１０１は図５の破線部にそって移動するが、インク吸収部１４１の破線部よりも上方部分が上記の干渉する部分に対応する。
【００６４】
この構成で吐出面の濡れインクを吸収するにあたって、吐出面をインク吸収部１４１に接触させるタイミング及びキャリッジの動作に関しては、前述の実施例１と同様の動作を行わせる。そして吐出面とインク吸収部１４１との接触時にあたっては、以下のように行われる。
【００６５】
まずキヤリッジ２０２を補助ワイパーの位置まで移動させると、吐出面Ｈ１１０１はインク吸収部１４１の中の端部１４１１又は１４１２に近づいていく。この１４１１又は１４１２のいずれが吐出面Ｈ１１０１に近づくかは、補助ワイパーの設置位置により決まり、プリント媒体２０８に近いほうの端部がそれに該当する。ここでは１４１１が吐出面に近づく動作で以降の説明を行う。
【００６６】
吐出面Ｈ１１０１がインク吸収部１４１の端部１４１１に近づいていくと、吐出面Ｈ１１０１と端部１４１１の上下の位置関係から、吐出面Ｈ１１０１は端部１４１１に近接する。そして、キャリッジ２０２が更に動いていくと、吐出面はインク吸収部１４１のいずれかの面と接触するようになる。そして、その後吐出面に押されてインク吸収部１４１は吐出面と接触を維持すると共に、下方にへこんでいく。これにならって伸縮材１４２も下方にへこむように変形していく。伸縮材１４２はＥＰＤＭ製であるから、それ自身の弾性力によって上方に戻ろうとする力があり、この力が吐出面とインク吸収部１４１の接触を確実なものにしている。
【００６７】
そして、更にキャリッジ２０２が動いていけば、吐出面とインク吸収部１４１との接触は解除されていく。この解除に伴い、伸縮材１４２はＥＰＤＭの伸張力で元の形状に復元し、同時にインク吸収部１４１の形状も復元される。このようにして吐出面に付着している濡れインクはインク吸収部１４１に移行する。なお、伸縮材１４２には数箇所の穴１４３が設けられているため、前述の変形・伸縮動作を円滑に行わせるようにしている。
【００６８】
本実施形態の場合には、補助ワイパーに可動機構を設けていないため、部品点数を減らすことが可能である。
【００６９】
［実施例３］
上記実施例１及び実施例２のいずれにおいても、補助ワイパーを常にプラテンの面よりも上方に位置するように構成した形態で説明した。しかし、この補助ワイパーは吐出面と接触するとき以外は、プラテン面よりも上方に出ている必要は必ずしもないため、この吐出面との接触時以外にはプラテン面よりも下方に下げておいてもよい。この場合には、キャリッジ２０２の位置を検知する機構を更に設けておき、キャリッジ２０２が補助ワイパーの位置に近づいて、吐出面が補助ワイパーの上部に到達したところで補助ワイパーを上方に出し、吐出面と接触させる機構を付加してもよい。これらの機構の詳細は一般的な公知の機構を利用すればよい。
【図面の簡単な説明】
【００７０】
【図１】本発明の一実施形態によるインクジェットプリント装置の構成例を示す模式図である。
【図２】図１のインクジェットプリント装置に組み込まれている補助ワイパーを示す構成図である。
【図３】図２の補助ワイパーをインクジェットプリント装置内に組み込む際の配置図である。
【図４】図２の補助ワイパーの動作を説明するための確認試験結果である。
【図５】図１のインクジェットプリント装置に組み込まれている補助ワイパーの他の例を示す構成図である。
【図６】図１のインクジェットプリント装置に用いるプリントヘッドカートリッジを組立てた状態を示す斜視図である。
【図７】図６のプリントヘッドカートリッジを分解した状態を示す斜視図である。
【図８】図７に示したインクジェットプリントヘッドを斜め下方から見た分解斜視図である。
【図９】インクジェットプリントヘッドの吐出面における濡れ状態を示す模式図である。
【符号の説明】
【００７１】
１１  ワイパーブレード
１２、１３  補助ワイパー
１２１  インク吸収体
１２２  軸
１２３  緊定ワッシャ
１２４  インク吸収体保持部
１２５  移動軸
１２６  軸固定部
１２７  圧力板
１２８  コイルばね
１２９  補助ワイパー固定部
１４１  インク吸収部
１４２  伸縮材
１４３  穴
１４４  固定材
２０１  回復系機構
２０２  キャリッジ
２０３  ガイドシャフト
２０４  主走査モータ
２０５  モータプーリ
２０６  従動プーリ
２０７  タイミングベルト
２０８  プリント媒体
２０９  搬送ローラ
２１０  ホームポジションセンサ
２１１  ピックアップローラ
２１２  オートシートフィーダ
２１３  ペーパーエンドセンサ
２１４  ＬＦモータ
２１５  給紙モータ
２１６  遮蔽板
Ｈ１０００  プリントヘッドカートリッジ
Ｈ１００１  インクジェットプリントヘッド
Ｈ１１００  吐出素子基板
Ｈ１１０１  吐出面
Ｈ１２００  第１のプレート
Ｈ１３００  電気配線基板
Ｈ１４００  第２のプレート
Ｈ１５００  タンクホルダー
Ｈ１５０１  インク流路
Ｈ１６００  流路形成部材
Ｈ１７００  フィルター
Ｈ１８００  シールゴム
Ｈ１９００  インクタンク
【図１】
2005225093.tif 000003
【図２】
2005225093.tif 000004
【図３】
2005225093.tif 000005
【図４】
2005225093.tif 000006
【図５】
2005225093.tif 000007
【図６】
2005225093.tif 000008
【図７】
2005225093.tif 000009
【図８】
2005225093.tif 000010
【図９】
2005225093.tif 000011